(57)【特許請求の範囲】
【請求項１】
基端部が先端部よりやや下位となるように傾斜させて温室内に配設され、かつ基端部の底部に、下方に向かって膨出する貯留部が設けられた加温筒と、
前記加温筒の外側に配設され、内部を温水が流れる噴射管と、
該噴射管の外周部に突設され、先端部が前記加温筒の内部に挿入されるとともに、前記噴射管内の温水を、加温筒の内面に向けて噴射する噴射孔が穿設されたノズルと、
温水を貯留する温水タンクと、
温水タンク内の温水を、前記噴射管の基端部へ送る温水供給手段と、
前記加温筒の貯留部に貯留された水を、温水タンクへ導く返流管と、
温水タンク内の温水を加温するボイラーとを備えることを特徴とする温室用暖房装置。
【請求項２】
ノズルを、噴射管に対して着脱自在としたことを特徴とする請求項１記載の温室用暖房装置。
【請求項３】
温水タンクを、給水管をもってボイラーの水室に接続するとともに、前記水室内の温水を、温水供給手段により、直接噴射管の基端部に供給するようにした請求項１または２記載の温室用暖房装置。
【発明の詳細な説明】
【０００１】
【発明の属する技術分野】
本発明は、例えば植物を栽培するための温室用暖房装置に関する。
【０００２】
【従来の技術】
従来の温室用暖房装置の一例としては、温室内で栽培されている植物の周囲に沿って循環パイプを配設し、循環パイプに、温水を強制循環させるようにしたものがある。
【０００３】
この装置によれば、温水により循環パイプが熱せられ、循環パイプの表面から発せられる放射熱により、温室内を暖房することができる。
【０００４】
この暖房装置により十分な暖房効果を得るには、循環パイプを大径とするか、或いは十分に長いものとして、循環パイプの表面積を大としなければならない。
【０００５】
しかし、このようにすると、多量の循環水を必要とするとともに、それを、暖房効果を発揮しうる例えば５０℃〜６０℃まで最初に昇温させるのに長時間を要し、またエネルギー損失が大きい等の問題がある。
【０００６】
また、循環パイプを長くすると、配管に要する費用が大となる。
【０００７】
上述の装置の問題点を解決する装置としては、本出願人の出願に係る実公昭５３−３５９７０号公報に記載されたものがある。
【０００８】
この装置は、図６に示すように、ボイラー(01)からの上方へ出た煙管(02)を、その出口側を若干上がり勾配として、温室(03)内の底部へほぼ水平方向に配設し、上記煙管(02)内には、基端がボイラー(01)の水室(04)に接続されるとともに、先端が閉塞され、かつ側部に先端方向へ斜めを向く多数のノズル(05)…を、適宜の間隔で設けた水管(06)を、上記煙管(02)の水平部のほぼ全長にわたって設け、上記水管(06)の適所に、ボイラー(01)における温水を煙管(02)内へ供給するためのポンプ(07)を設け、さらに煙管(02)の水平部の基端側下面に形成した下向凹み部(08)の底部と、ボイラー(01)の水室(04)との間に、返流管(09)を接続したものである。
【０００９】
この装置によれば、煙管(02)内を通るボイラー(01)の排煙の熱と、水管(06)のノズル(05)より煙管(02)の内面に噴射される温水の熱とにより、効果的に温室(03)内を暖房することができるとともに、排煙内に含まれる有害物質が温水によりトラップされるので、大気を汚染するおそれがないという利点がある。
【００１０】
また、煙管(02)の表面積が従来の温水の循環パイプに比して大であるので、煙管(02)及びその中の水管(06)の長さを短くすることができるとともに、温水の循環水量を小とすることができ、また、作動開始から暖房効果を発揮するまでの時間が短い等の利点もある。
【００１１】
【発明が解決しようとする課題】
しかし、上述の従来の装置によると、循環する温水内に、排煙の有害物質が漸次蓄積され、それらが水管(06)やボイラー(01)の水室(04)等を腐食するので、装置全体の耐久性が悪いという問題がある。
【００１２】
また、温水中の有害物質を除去するため、温水の循環路の途中、例えば下向凹み部(08)内にフィルター(010)等を設けると、それを定期的に新しいものと交換しなければならず、メンテナンスが面倒になる。
【００１３】
本発明は、従来の技術が有する上記のような問題点に鑑み、メンテナンスが容易で、かつ耐久性に優れ、しかも作動開始から短時間で所期の暖房効果を得ることができるようにした、熱効率のよい温室用暖房装置を提供することを目的としている。
【００１４】
【課題を解決するための手段】
本発明によると、上記課題は、次のようにして解決される。
(１)  基端部が先端部より下位となるようにやや傾斜させて温室内に配設され、かつ基端部の底部に、下方に向かって膨出する貯留部が設けられた加温筒と、前記加温筒の外側に配設され、内部を温水が流れる噴射管と、該噴射管の外周部に突設され、先端部が前記加温筒の内部に挿入されるとともに、前記噴射管内の温水を、加温筒の内面に向けて噴射する噴射孔が突設されたノズルと、温水を貯留する温水タンクと、温水タンク内の温水を、前記噴射管の基端部へ送る温水供給手段と、前記加温筒の貯留部に貯留された水を、温水タンクへ導く返流管と、温水タンク内の温水を加温するボイラーとを備えるものとする。
【００１５】
(２)  上記(１)項において、ノズルを、噴射管に対して着脱自在とする。
【００１６】
(３)  上記(１)または(２)項において、温水タンクを、給水管をもってボイラーの水室に接続するとともに、前記水室内の温水を、温水供給手段により、直接噴射管の基端部に供給するようにする。
【００１７】
【発明の実施の形態】
以下、請求項１記載の発明を具体化した本発明の第１の実施形態を、図１〜図３を参照しながら説明する。
【００１８】
温室(１)の外に配設されたボイラーであり、ボイラー(２)には、水室(３)と、ボイラー(２)から生じる煙を排出するための煙突(４)とが設けられている。
【００１９】
ボイラー(２)の側方に配設された温水タンク(５)と水室(３)との間には、温水タンク(５)内の水をポンプ(７)により水室(３)へ送るための給水管(６)と、水室(３)内で加温された温水を温水タンク(５)へ返すための戻り管(８)とが設けられている。
【００２０】
温室(１)内の底部付近には、基端寄りの底部に、下向きに膨出する貯留部(９)を備える大径の加温筒(10)が、その基端部が先端部より若干下位となるように上向き傾斜させて配設されている。
加温筒(10)の先端部は開口し、その開口部にはキャップ(11)が取り付けられている。貯留部(９)と温水タンク(５)は、返流管(12)により接続されている。
【００２１】
温水タンク(５)に接続され、ポンプ(13)により温水タンク(５)内の温水を給送する送湯管(14)が、加温筒(９)の直上に、それと平行をなすようにして配設された噴射管(15)の基端部に接続されている。
噴射管(15)の先端の開口端部は、キャップ(16)により閉塞されている。
噴射管(15)の下面には、複数の下向のノズル(17)が、噴射管(15)の長手方向に並べて溶接等により固着され、ノズル(17)の先端部は、加温筒(10)の内部に突入している。
【００２２】
図２に拡大して示すように、ノズル(17)の内部には、噴射管(15)に連通する上下方向の流路(18)が形成され、流路(18)の下端部には、温水を加温筒(10)の内面上部に向けて噴射する、斜め上向きの複数の噴射孔(19)が連設されている。
【００２３】
このような構成の暖房装置において、ボイラー(２)やポンプ(７)(13)を作動させると、温水タンク(５)内の温水は、給水管(６)を経てボイラー(２)の水室(３)へ送られ、ボイラー(２)によって加熱された後、戻り管(８)を通って温水タンク(５)へ戻される。
【００２４】
一方、温水タンク(５)内の温水は、ポンプ(13)により、送湯管(14)を通って、噴射管(15)へ送られ、ノズル(17)の噴射孔(19)から加温筒(10)の内面上部に向けて噴射される。
加温筒(10)の内面上部へ向けて噴射された温水が、加温筒(10)の内面を伝って底部側に流れることにより、加温筒(10)全体は加温され、加温筒(10)の外周面から発せられる放射熱により、温室(１)は加温される。
【００２５】
加温筒(10)の内面に噴射された温水は、傾斜している加温筒(10)の底部を流下して、貯留部(９)に集められ、そこから返流管(12)を通って、温水タンク(５)へ戻される。
【００２６】
ポンプ(13)の作動の初期には、噴射管(15)のキャップ(16)を取り外して、噴射管(15)内の空気をすべて外部へ排出し、その後キャップ(16)を閉じるか、または公知の自動エア抜き装置を用いて噴射管(15)内の空気を除去した後、通常の作動を行なわせる。
【００２７】
また、長期間運転を停止していたため、温水タンク(５)内の温水が低温となっているときには、ポンプ(７)とボイラー(２)のみを先に作動させて、温水タンク(５)内の温水の温度を上昇させ、その温度が所定値に達した後に、ポンプ(13)を作動させるのがよい。
キャップ(11)を取り外して、加温筒(10)内部の清掃等を行うことができる。
【００２８】
本実施形態によれば、ボイラー(２)の煙突(４)と加温筒(10)(従来例の煙管(02)の水平部に相当)とを別個に設けてあるので、排煙中の有害物質が温水に混入したり、加温筒(10)の内部に有害物質が付着したりすることはない。
したがって、従来のように、フィルターを設けたり、加温筒(10)の内面を頻繁に清掃する必要がなく、加温筒(10)のメンテナンスが容易である。
【００２９】
また、噴射管(15)の加温筒(10)への取り付けが簡単であるため、図３に示すように、噴射管(15)を簡単に増設することができ、増設した分だけ、加温筒(10)からより多くの放射熱を得ることができる。
【００３０】
次に、請求項１〜３記載の発明を適用した本発明の第２の実施形態を、図４及び図５を参照しながら説明する。
なお、第１の実施形態と同様の部材には同じ符号を付すに止めて、その詳細な説明は省略する。
【００３１】
本実施形態の特徴は、水室(３)内で加温された温水を、温水タンク(５)を経由させることなく、ポンプ(20)を有する送湯管(21)により、直接噴射管(15)に接続した点、及びノズル(17)を、パッキング(22)を挟んで噴射管(15)に螺着することにより着脱自在とした点にある。
【００３２】
このようにすれば、ボイラー(２)により加熱された水室(３)内の温水を、直接噴射管(15)に供給できるので、エネルギーロスは小さく、ウォーミングアップ時間を短くすることができる。
【００３３】
また、ノズル(17)を噴射管(15)から着脱自在としたので、ノズル(17)を、噴射孔(19)の数や径または方向の異なる他のノズルと交換することができ、より細かな温度調節が可能となる。
隣り合うノズル(17)間のピッチを変えることもできる。
【００３４】
【発明の効果】
本発明によると、次のような効果を奏することができる。
(ａ)  ボイラーの煙突と加温筒とを別個に設けたので、排煙中の有害物質が温水中に混入したり、加温筒の内周面に付着するおそれはない。
したがって、温水中に含まれた有害物質により、噴射管や加温筒等が腐食させられるということはなく、耐久性がよい。また従来のように、フィルターを設けたり、加温筒の内周面を頻繁に清掃する必要がなく、加温筒のメンテナンスが容易である。
【００３５】
(ｂ)  噴射管を加温筒の外側に取り付けているので、加温筒または噴射管として既設の配管を利用することができるとともに、噴射管の加温筒への取り付けが簡単であり、噴射管を簡単に増設して、加温筒からより多くの放射熱が発散されるようにすることができる。
また、噴射管が外部に露出しているため、噴射管のメンテナンスが容易である。
【００３６】
(ｃ)  加温筒の表面積は、従来の温水循環パイプに比して著しく大であるので、同等の暖房効果を得るのに、加温筒及びその中の噴射管の長さを、従来の温水循環パイプの長さより著しく短くすることができ、配管に要する費用を低減できる。
【００３７】
(ｄ)  噴射管の径を小とすることができ、しかも上記のように、加温筒とともにその長さを小とすることができるので、噴射管内を循環する温水の量を、従来の温水循環パイプに比して格段に少なくすることができる。
その結果、温水が完全に冷えきった状態での作動開始から、実際に暖房効果を発揮できるようになるまでのウォーミングアップ時間を、従来のものより短くすることができる(以上請求項１の発明)。
【００３８】
(ｅ)  請求項２記載の発明によれば、ノズルを噴射管から着脱自在としたので、噴射孔の数や径または方向の異なる様々なノズルと交換することができ、より細かな温度調節が可能となる。
【００３９】
(ｆ)  請求項３記載の発明によれば、ボイラーにより加熱された水室内の温水を直接噴射管等に供給できるので、エネルギーロスが小さく、しかも上述のウォーミングアップ時間をさらに短くすることができる。
【図面の簡単な説明】
【図１】本発明の第１の実施形態の概要を示す縦断正面図である。
【図２】同じく要部の拡大縦断正面図である。
【図３】同じく変形例の要部の縦断側面図である。
【図４】本発明の第２の実施形態の概要を示す縦断正面図である。
【図５】同じく要部の拡大縦断側面図である。
【図６】従来例の縦断正面図である。
【符号の説明】
(１)温室
(２)ボイラー
(３)水室
(４)煙突
(５)温水タンク
(６)給水管
(７)ポンプ
(８)戻り管
(９)貯留部
(10)加温筒
(11)キャップ
(12)返流管
(13)ポンプ
(14)送湯管
(15)噴射管
(16)キャップ
(17)ノズル
(18)流路
(19)噴射孔
(20)ポンプ
(21)送湯管
(22)パッキング
【図１】
0003769365.tif 000002
【図２】
0003769365.tif 000003
【図３】
0003769365.tif 000004
【図４】
0003769365.tif 000005
【図５】
0003769365.tif 000006
【図６】
0003769365.tif 000007